(57)【要約】  複雑な演算を追加せずにマクロビジョンのようなコピー防止処理されたアナログ入力信号を、コピー防止信号を損傷させずに簡単に出力できるアナログ／デジタル信号処理装置であって、特に多用途デジタルセットトップボックス及びその方法に関する。本発明の信号処理装置は、アナログ／デジタル入力信号を受信してアナログ通信部またはデジタル通信部を通じて所定の機器に出力するアナログ／デジタル信号処理装置において、アナログ／デジタル入力信号がデジタル信号であるかアナログ信号であるかを判別し、判別結果によって入力信号の処理経路及び出力パスを制御する制御部と、制御部の制御によって入力信号をアナログ通信部またはデジタル通信部にスイッチングするスイッチング部と、を備え、特に、入力信号がアナログ信号である場合に、制御部は、入力信号の処理経路をスイッチング部と指定し、スイッチング部は、入力信号をアナログ通信部にスイッチングする。
2007517456.tif 000002
【特許請求の範囲】
【請求項１】
アナログ／デジタル入力信号を受信してアナログ通信部またはデジタル通信部を通じて所定の機器に出力するアナログ／デジタル信号処理装置において、
前記アナログ／デジタル入力信号がデジタル信号であるかアナログ信号であるかを判別し、前記判別結果によって前記入力信号の処理経路及び出力パスを制御する制御部と、
前記制御部の制御によって前記入力信号を前記アナログ通信部または前記デジタル通信部にスイッチングするスイッチング部と、を備えるアナログ／デジタル信号処理装置。
【請求項２】
前記入力信号がアナログ信号である場合に、前記制御部は、前記入力信号の処理経路を前記スイッチング部と指定し、前記スイッチング部は、前記入力信号を前記アナログ通信部にスイッチングすることを特徴とする請求項１に記載のアナログ／デジタル信号処理装置。
【請求項３】
前記入力信号をエンコーディングするためのエンコーディング部と、前記エンコーディング部でエンコーディングされた信号または前記入力信号をデコーディングするためのデコーディング部と、をさらに備えることを特徴とする請求項１に記載のアナログ／デジタル信号処理装置。
【請求項４】
前記入力信号がデジタル信号である場合に、前記制御部は、前記入力信号の処理経路を前記デコーディング部と指定し、前記デコーディング部は、前記入力信号をデコーディングして前記アナログ通信部に出力することを特徴とする請求項３に記載のアナログ／デジタル信号処理装置。
【請求項５】
前記入力信号がアナログ信号である場合に、前記制御部は、前記入力信号の処理経路を前記スイッチング部と指定し、前記スイッチング部は、前記入力信号を前記エンコーディング部にスイッチングし、前記エンコーディング部は、前記入力信号をデジタル信号にデコーディングして前記デジタル通信部に出力することを特徴とする請求項３に記載のアナログ／デジタル信号処理装置。
【請求項６】
前記受信された入力信号は、所定の機器から再生された信号であることを特徴とする請求項１に記載のアナログ／デジタル信号処理装置。
【請求項７】
アナログ／デジタル入力信号を受信してアナログ通信部またはデジタル通信部を通じて所定の機器に出力するアナログ／デジタル信号処理装置において、
地上波放送、ケーブル放送及び衛星放送などの放送信号を受信及び処理する放送信号受信部と、
所定の機器から再生された再生信号を受信する外部機器信号受信部と、
前記放送信号受信部及び前記外部機器信号受信部で受信した前記アナログ／デジタル入力信号がデジタル信号であるかアナログ信号であるかを判別し、前記判別結果によって入力信号の処理経路及び出力パスを制御する制御部と、
前記制御部の制御によって、前記入力信号を前記アナログ通信部または前記デジタル通信部にスイッチングするスイッチング部と、を備えるアナログ／デジタル信号処理装置。
【請求項８】
前記再生信号がアナログ信号である場合に、前記制御部は、前記再生信号の処理経路を前記スイッチング部と指定し、前記スイッチング部は、前記再生信号を前記アナログ通信部にスイッチングすることを特徴とする請求項７に記載のアナログ／デジタル信号処理装置。
【請求項９】
前記放送信号がアナログ信号である場合に、前記制御部は、前記放送信号の処理経路をスイッチング部と指定し、前記スイッチング部は、前記放送信号を前記アナログ通信部にスイッチングすることを特徴とする請求項７に記載のアナログ／デジタル信号処理装置。
【請求項１０】
前記入力信号をエンコーディングするためのエンコーディング部と、前記エンコーディング部でエンコーディングされた信号及び前記放送信号と前記再生信号とをデコーディングするためのデコーディング部と、をさらに備えることを特徴とする請求項７に記載のアナログ／デジタル信号処理装置。
【請求項１１】
前記入力信号がデジタル信号である場合に、前記制御部は、前記入力信号の処理経路を前記デコーディング部と指定し、前記デコーディング部は、前記入力信号をアナログ信号にデコーディングして前記アナログ通信部に出力することを特徴とする請求項１０に記載のアナログ／デジタル信号処理装置。
【請求項１２】
前記入力信号がアナログ信号である場合に、前記制御部は、前記入力信号の処理経路を前記スイッチング部と指定し、前記スイッチング部は、前記入力信号を前記エンコーディング部にスイッチングすることを特徴とする請求項１０に記載のアナログ／デジタル信号処理装置。
【請求項１３】
放送信号及び外部入力アナログ信号を受信及び処理して、デジタル通信部またはアナログ通信部を通じて外部デジタルディスプレイ装置または外部アナログ再生装置に出力する多用途デジタルセットトップボックスにおいて、
前記外部入力アナログ信号をデジタル放送信号にエンコーディングして前記デジタル通信部に出力するためのエンコーディング部と、
前記エンコーディング部に入力される前記外部入力アナログ信号を前記アナログ通信部にスイッチングするためのスイッチング部と、
前記セットトップボックスの全般的な動作を制御する制御部と、を備える多用途デジタルセットトップボックス。
【請求項１４】
前記放送信号がアナログ放送信号である場合に、前記アナログ放送信号は、前記エンコーディング部によりデジタル放送信号にエンコーディングされて前記デジタル通信部に出力されるか、前記スイッチング部により前記アナログ通信部にスイッチングされることを特徴とする請求項１３に記載の多用途デジタルセットトップボックス。
【請求項１５】
デジタル放送信号をアナログ放送信号にデコーディングして出力するためのデコーディング部をさらに備え、前記放送信号がアナログ放送信号である場合に、前記アナログ放送信号は、前記エンコーディング部によりデジタル放送信号にエンコーディングされて前記デジタル通信部及び／または前記デコーディング部に出力され、前記スイッチング部は、前記デコーディング部からの出力を前記アナログ通信部にスイッチングすることを特徴とする請求項１３に記載の多用途デジタルセットトップボックス。
【請求項１６】
前記デジタル通信部は、前記外部デジタルディスプレイ装置と無線通信チャンネルを通じて通信することを特徴とする請求項１３に記載の多用途デジタルセットトップボックス。
【請求項１７】
前記デジタル通信部と前記アナログ通信部とは、一つの通信モジュールで構成されることを特徴とする請求項１３に記載の多用途デジタルセットトップボックス。
【請求項１８】
放送信号及び外部入力アナログ信号を受信及び処理して外部デジタルディスプレイ装置及び／または外部アナログ再生装置に出力する多用途デジタルセットトップボックスでの信号処理方法において、
（ａ）前記外部入力アナログ信号をデジタル放送信号にエンコーディングして前記デジタルディスプレイ装置に出力するステップと、
（ｂ）前記外部入力アナログ信号を前記外部アナログ再生装置に直接出力するステップと、を含むが、
前記（ａ）ステップと前記（ｂ）ステップとは、同時にまたは選択的に行われることを特徴とする信号処理方法。
【請求項１９】
前記放送信号がアナログ放送信号である場合に、
（ｃ）前記アナログ放送信号をデジタル放送信号にエンコーディングして前記デジタルディスプレイ装置に出力するステップと、
（ｄ）前記アナログ放送信号を前記外部アナログ再生装置に直接出力するステップと、をさらに含むが、
前記（ｃ）ステップと前記（ｄ）ステップとは、同時にまたは選択的に行われることを特徴とする請求項１８に記載の信号処理方法。
【請求項２０】
前記放送信号がアナログ放送信号である場合に、
（ｃ）前記アナログ放送信号をデジタル放送信号にエンコーディングするステップと、
（ｄ）前記エンコーディングされたデジタル放送信号を前記デジタルディスプレイ装置に出力するステップと、
（ｅ）前記エンコーディングされたデジタル放送信号をアナログ放送信号にデコーディングして前記外部アナログ再生装置に出力するステップと、をさらに含むが、
前記（ｄ）ステップと前記（ｅ）ステップとは同時にまたは選択的に行われることを特徴とする請求項１８に記載の信号処理方法。
【請求項２１】
前記セットトップボックスと前記デジタルディスプレイ装置とは、無線通信チャンネルを通じて通信することを特徴とする請求項１８に記載の信号処理方法。
【発明の詳細な説明】
【技術分野】
【０００１】
本発明は、アナログ／デジタル信号処理装置及びその方法に係り、特に、外部アナログ入力信号に含まれたコピー防止情報のような付加情報を簡便に損傷させずに出力できる多用途デジタルセットトップボックスのようなアナログ／デジタル信号処理装置及びその方法に関する。
【背景技術】
【０００２】
図１には、従来の多用途デジタルセットトップボックスが図示されている。
【０００３】
デジタルセットトップボックス１０は、地上波放送、衛星放送及びケーブル放送などの放送信号を受信し、制御部１１６の制御によって該当放送信号をアナログ放送信号またはデジタル放送信号に出力する放送信号受信部１０２と、放送信号受信部１０２から出力されたアナログ放送信号と、ＤＶＤプレーヤーのような外部アナログ信号入力装置から受信したアナログ信号をＭＰＥＧ−２トランスポートストリームのデジタル信号に変換するＭＰＥＧ−２エンコーダ１０４と、放送信号受信部１０２及びＭＰＥＧ−２エンコーダ１０４から出力されるＭＰＥＧ−２トランスポートストリームを、デジタルＴＶのような外部ディスプレイ装置に出力するデジタル通信部１０６と、制御部１１６の制御によって放送信号受信部１０２及びＭＰＥＧ−２エンコーダ１０４から出力されるＭＰＥＧ−２トランスポートストリームをアナログ信号に変換して出力するＭＰＥＧ−２デコーダ１０８と、ＭＰＥＧ−２デコーダ１０８から出力されたアナログ信号をアナログＴＶまたはＶＣＲのような外部アナログ再生装置に出力するアナログ通信部１１０と、ユーザがリモコンのようなチャンネル選択入力装置を利用して所定のチャンネルを選択すれば、これを受信して制御部に出力するチャンネル選択部１１２と、視聴者が選択できる放送チャンネルに関する情報を保存しているチャンネルマップメモリ１１４と、前記チャンネル選択部１１２からのチャンネル選択信号によって前記チャンネルマップメモリ１１４を参照して放送信号受信部１０２が受信する放送の種類によった放送信号処理を制御し、デジタルセットトップボックス１０の他の構成要素の動作を制御する制御部１１６とで構成される。
【０００４】
視聴者がリモコンなどを利用して所望の放送チャンネルを選択すれば、チャンネル選択部１１２は、選択された放送チャンネルを制御部１１６に伝達し、制御部１１６は、チャンネルマップメモリ１１４を参照して選択された放送チャンネルの種類及び選択された放送チャンネルがデジタル信号であるかアナログ信号であるかを判断して放送信号受信部１０２の動作を制御する。
【０００５】
デジタル放送では、ネットワーク情報テーブル（Ｎｅｔｗｏｒｋ Ｉｎｆｏｒｍａｔｉｏｎ Ｔａｂｌｅ；ＮＩＴ）とブーケ割り当てテーブル（Ｂｏｕｑｕｅｔ Ａｓｓｏｃｉａｔｉｏｎ Ｔａｂｌｅ；ＢＡＴ）とをデジタル放送受信用セットトップボックスのメモリに保存させて、制御部が該当チャンネルについての物理的情報及びサービス情報を読み出せるように構成されており、ＮＩＴ及びＢＡＴにアナログ放送信号の物理的な情報及びサービス情報が追加保存されるようにチャンネルマップメモリ１１２が構成される。また、チャンネルマップメモリ１１２には、各放送チャンネルがアナログ信号であるかデジタル信号であるかに関する情報も含まれる。しかし、セットトップボックスの簡素化のために、チャンネル選択部１１０及びチャンネルマップメモリ１１２をセットトップボックスに含めず、デジタルＴＶのような外部ディスプレイ装置に内蔵して選択されたチャンネル情報を、通信部１０６を通じてセットトップボックスに伝達させても良い。一方、セットトップボックス１０は、ＭＰＥＧ−２トランスポートストリームをオーディオ信号及びビデオ信号にパージングして出力するようにＭＰＥＧ−２トランスポートストリームパージング部をさらに備えてもよいが、無線通信チャンネルを利用してデジタルＴＶに情報を伝達するためには、パージングされたデータよりはＭＰＥＧ−２トランスポートストリームに伝送することが無線ネットワーク負荷を低減できる。
【０００６】
放送信号受信部１０２は、視聴者の選択によって地上波放送、衛星放送及びケーブル放送を選局し、その選局されたそれぞれの信号を中間周波数信号に変換するチューナ部（図示せず）と、チューナ部の選局によって所定の復調動作を行う復調部（図示せず）とで構成され、放送信号がアナログ信号であれば、復調された信号をアナログ信号として出力し、放送信号がデジタル信号であれば、復調された信号をＭＰＥＧ−２トランスポートストリームのデジタル信号として出力する。
【０００７】
一方、ＤＶＤプレーヤーは、デジタル記録媒体であるＤＶＤに内蔵された情報を出力する時、通常著作権保護のためにマクロビジョンのようなコピー防止処理を行うが、マクロビジョン処理されたアナログ外部入力信号は、ＭＰＥＧ−２エンコーダを経ればコピー防止信号が消えてしまうので、マクロビジョン処理が無意味になってしまうという問題点がある。
【０００８】
したがって、このような問題点を解決するために、ＭＰＥＧ−２エンコーダ１０４にマクロビジョン検出機能を追加してマクロビジョン処理されたアナログ信号については、それに相応するエンコーディング方式を適用して処理することによってコピー防止信号が消去されることを防止している。
【０００９】
しかし、このような方法も、マクロビジョン処理されたアナログ信号を検出するための演算及びマクロビジョン処理されたアナログ信号に適したエンコーディング演算を追加的に行わねばならないために、それほどセットトップボックスの構造が複雑になるという問題点がある。
【発明の開示】
【発明が解決しようとする課題】
【００１０】
したがって、本発明の目的は、複雑な演算を追加せずにマクロビジョンのようなコピー防止処理されたアナログ入力信号を、コピー防止信号を損傷させずに簡単に出力できる多用途デジタルセットトップボックス及びその方法を提供することである。
【課題を解決するための手段】
【００１１】
前記のような目的を達成するために、本発明は、アナログ／デジタル入力信号を受信してアナログ通信部またはデジタル通信部を通じて所定の機器に出力するアナログ／デジタル信号処理装置において、前記アナログ／デジタル入力信号がデジタル信号であるかアナログ信号であるかを判別し、前記判別結果によって前記入力信号の処理経路及び出力パスを制御する制御部と、前記制御部の制御によって前記入力信号を前記アナログ通信部または前記デジタル通信部にスイッチングするスイッチング部と、を備えるアナログ／デジタル信号処理装置を提供する。
【００１２】
また、前記入力信号がアナログ信号である場合に、前記制御部は、前記入力信号の処理経路を前記スイッチング部と指定し、前記スイッチング部は、前記入力信号を前記アナログ通信部にスイッチングすることを特徴とする。
【００１３】
また、前記入力信号をエンコーディングするためのエンコーディング部と、前記エンコーディング部でエンコーディングされた信号または前記入力信号をデコーディングするためのデコーディング部と、をさらに備えることを特徴とし、この時、前記入力信号がデジタル信号である場合に、前記制御部は、前記入力信号の処理経路を前記デコーディング部と指定し、前記デコーディング部は、前記入力信号をデコーディングして前記アナログ通信部に出力し、または、前記入力信号がアナログ信号である場合に、前記制御部は、前記入力信号の処理経路を前記スイッチング部と指定し、前記スイッチング部は、前記入力信号を前記エンコーディング部にスイッチングし、前記エンコーディング部は、前記入力信号をデジタル信号にデコーディングして前記デジタル通信部に出力する。
【００１４】
また、前記受信された入力信号は、所定の機器から再生された信号であることを特徴とする。
【００１５】
前記のような目的を達成するために、本発明の他の局面は、アナログ／デジタル入力信号を受信してアナログ通信部またはデジタル通信部を通じて所定の機器に出力するアナログ／デジタル信号処理装置において、地上波放送、ケーブル放送及び衛星放送などの放送信号を受信及び処理する放送信号受信部と、所定の機器から再生された再生信号を受信する外部機器信号受信部と、前記放送信号受信部及び前記外部機器信号受信部で受信した前記アナログ／デジタル入力信号がデジタル信号であるかアナログ信号であるかを判別し、前記判別結果によって入力信号の処理経路及び出力パスを制御する制御部と、前記制御部の制御によって、前記入力信号を前記アナログ通信部または前記デジタル通信部にスイッチングするスイッチング部と、を備えるアナログ／デジタル信号処理装置を提供する。
【００１６】
また、前記再生信号がアナログ信号である場合に、前記制御部は、前記再生信号の処理経路を前記スイッチング部と指定し、前記スイッチング部は、前記再生信号を前記アナログ通信部にスイッチングすることを特徴とする。
【００１７】
また、前記放送信号がアナログ信号である場合に、前記制御部は、前記放送信号の処理経路をスイッチング部と指定し、前記スイッチング部は、前記放送信号を前記アナログ通信部にスイッチングすることを特徴とする。
【００１８】
また、前記入力信号をエンコーディングするためのエンコーディング部と、前記エンコーディング部でエンコーディングされた信号及び前記放送信号と前記再生信号とをデコーディングするためのデコーディング部と、をさらに備えることを特徴とし、この時、前記入力信号がデジタル信号である場合に、前記制御部は、前記入力信号の処理経路を前記デコーディング部と指定し、前記デコーディング部は、前記入力信号をアナログ信号にデコーディングして前記アナログ通信部に出力し、または、前記入力信号がアナログ信号である場合に、前記制御部は、前記入力信号の処理経路を前記スイッチング部と指定し、前記スイッチング部は、前記入力信号を前記エンコーディング部にスイッチングする。
【００１９】
前記のような目的を達成するために、本発明の他の局面は、放送信号及び外部入力アナログ信号を受信及び処理して、デジタル通信部またはアナログ通信部を通じて外部デジタルディスプレイ装置または外部アナログ再生装置に出力する多用途デジタルセットトップボックスにおいて、前記外部入力アナログ信号をデジタル放送信号にエンコーディングして前記デジタル通信部に出力するためのエンコーディング部と、前記エンコーディング部に入力される前記外部入力アナログ信号を前記アナログ通信部にスイッチングするためのスイッチング部と、前記セットトップボックスの全般的な動作を制御する制御部と、を備える多用途デジタルセットトップボックスを提供する。
【００２０】
また、前記放送信号がアナログ放送信号である場合に、前記アナログ放送信号は、前記エンコーディング部によりデジタル放送信号にエンコーディングされて前記デジタル通信部に出力され／出力されるか、前記スイッチング部により前記アナログ通信部にスイッチングされることを特徴とする。
【００２１】
また、本発明の多用途デジタルセットトップボックスは、デジタル放送信号をアナログ放送信号にデコーディングして出力するためのデコーディング部をさらに備え、前記放送信号がアナログ放送信号である場合に、前記アナログ放送信号は、前記エンコーディング部によりデジタル放送信号にエンコーディングされて前記デジタル通信部及び／または前記デコーディング部に出力され、前記スイッチング部は、前記デコーディング部からの出力を前記アナログ通信部にスイッチングすることを特徴とする。
【００２２】
また、前記デジタル通信部は、前記外部デジタルディスプレイ装置と無線通信チャンネルを通じて通信し、前記デジタル通信部と前記アナログ通信部とは、一つの通信モジュールで構成されることを特徴とする。
【００２３】
前記のような目的を達成するために、本発明の他の局面は、放送信号及び外部入力アナログ信号を受信及び処理して外部デジタルディスプレイ装置及び／または外部アナログ再生装置に出力する多用途デジタルセットトップボックスでの信号処理方法において、（ａ）前記外部入力アナログ信号をデジタル放送信号にエンコーディングして前記デジタルディスプレイ装置に出力するステップと、（ｂ）前記外部入力アナログ信号を前記外部アナログ再生装置に直接出力するステップと、を含むが、前記（ａ）ステップと前記（ｂ）ステップとは、同時にまたは選択的に行われることを特徴とする信号処理方法を提供する。
【００２４】
また、前記放送信号がアナログ放送信号である場合に、（ｃ）前記アナログ放送信号をデジタル放送信号にエンコーディングして前記デジタルディスプレイ装置に出力するステップと、（ｄ）前記アナログ放送信号を前記外部アナログ再生装置に直接出力するステップと、をさらに含むが、前記（ｃ）ステップと前記（ｄ）ステップとは、同時にまたは選択的に行われることを特徴とする。
【発明の効果】
【００２５】
本発明によれば、外部入力アナログ信号及び／またはアナログ放送信号にコピー防止処理されている場合に、複雑な演算過程を経ずともコピー防止信号を損傷させずに外部入力アナログ信号及び／またはアナログ放送信号を簡単に再生できる。
【発明を実施するための最良の形態】
【００２６】
以下では、添付された図面を参照して本発明の望ましい実施形態を説明する。
【００２７】
図２には、本発明の望ましい実施形態によるアナログ／デジタル信号処理装置が図示されている。また、アナログ／デジタル信号処理装置２０は、外部から入力される放送信号または外部入力信号を処理してＴＶのような外部再生機器に再伝送する多用途セットトップボックスとして利用できる。
【００２８】
信号処理装置２０は、地上波放送、衛星放送及びケーブル放送などの放送信号を受信してアナログ放送信号またはデジタル放送信号に出力する放送信号受信部２０１と、ＤＶＤプレーヤーのような外部再生機器からの外部入力信号を受信してアナログ入力信号またはデジタル入力信号に出力する外部入力信号受信部２０３と、放送信号受信部２０１及び外部入力信号受信部２０３からアナログ放送信号及びアナログ入力信号を受信してＭＰＥＧ−２エンコーダ２０７またはアナログ通信部２１１にスイッチングするスイッチング部２０５と、アナログ放送信号及びアナログ入力信号をＭＰＥＧ−２トランスポートストリームのデジタル信号にエンコーディングするためのＭＰＥＧ−２エンコーダ２０７と、デジタル放送信号受信部２０１、外部入力信号受信部２０３及びＭＰＥＧ−２エンコーダ２０７から出力されるＭＰＥＧ−２トランスポートストリームのデジタル信号をアナログ信号にデコーディングするＭＰＥＧ−２デコーダ２０９と、スイッチング部２０５及びＭＰＥＧ−２デコーダ２０９から出力されるアナログ信号をアナログＴＶまたはＶＣＲのようなアナログ再生機器に出力するアナログ通信部２１１と、放送信号受信部２０１、外部入力信号受信部２０３及びＭＰＥＧ−２エンコーダ２０７から出力されるＭＰＥＧ−２トランスポートストリームのデジタル信号をデジタルＴＶのようなデジタル再生機器に出力するデジタル通信部２１３と、放送信号受信部２０１、外部入力信号受信部２０３、スイッチング部２０５及びＭＰＥＧ−２デコーダ２０９などの動作を制御する制御部２１５を備える。
【００２９】
放送信号受信部２０１は、地上波放送、衛星放送及びケーブル放送などの多様な放送信号を受信して各放送に適した方式で選局及び復調し、制御部２１５の制御によってアナログ放送信号はスイッチング部２０５に出力し、ＭＰＥＧ−２トランスポートストリームのデジタル放送信号はデジタル通信部２１３及びＭＰＥＧ−２デコーダ２０９に出力する。
【００３０】
一方、地上波放送、衛星放送及びケーブル放送は相異なる放送方式を採択しているので、放送信号受信部２０１は、各放送方式に適したチューナ部（図示せず）及び復調部（図示せず）を備えねばならず、例えば、地上波放送、衛星放送及びケーブル放送に対してＱＦＤＭ復調部、ＱＰＳＫ復調部及びＱＡＭ復調部をそれぞれ具備できる。
【００３１】
また、一般的にデジタル放送では、チャンネルによる放送方式情報及びデジタル放送信号如何についての情報を含むチャンネル情報をセットトップボックス２０またはデジタルＴＶのチャンネルマップメモリに設定できるために、視聴者がリモコンのような入力装置を通じて放送チャンネルを選択すれば、制御部２１５はチャンネルマップメモリの検索結果によって、各放送信号の種類によった選局及び復調動作を行うように放送信号受信部２０１を制御し、選択された放送チャンネルがアナログ放送チャンネルであるかデジタル放送チャンネルであるかによって、放送信号受信部２０１から出力される信号の出力方向を決定する。
【００３２】
また、現在アナログ放送信号には特別のコピー防止処理をしないために、アナログ放送信号をデジタル放送信号にエンコーディングせずに直ちにアナログ通信部２１１を通じて出力してもよいが、放送環境が変化してアナログ放送信号にもコピー防止処理できるために、放送信号受信部２０１から受信したアナログ放送信号は、制御部２１５の制御によってＭＰＥＧ−２エンコーディング及びデコーディングを経ずにスイッチング部２０５を経由してアナログ通信部２１１から直ちに出力させることが望ましい。
【００３３】
外部入力信号受信部２０３は、ＤＶＤプレーヤーのような再生機器からデジタル信号またはマクロビジョン処理のようなコピー防止処理されたアナログ信号を受信して、制御部２１５の制御によってアナログ入力信号はスイッチング部２０５に出力し、デジタル入力信号は、デジタル通信部２１３及びＭＰＥＧ−２デコーダ２０９に出力する。また、デジタル入力信号の出力方向は、制御部２１５が受信部２０１、２０３を制御して決定されるか、ＭＰＥＧ−２デコーダ２０９が受信部２０１、２０３から出力されるデジタル信号をキャプチャーするように、制御部２１５がＭＰＥＧ−２デコーダ２０９を制御してもよい。または、図示されていない他のスイッチング部をデジタル通信部２１３とＭＰＥＧ−２デコーダ２０９との間に配置し、制御部２１５がそのスイッチング部を制御することによってデジタル信号の出力パスが決定されてもよい。
【００３４】
ＭＰＥＧ−２エンコーダ２０７及びＭＰＥＧ−２デコーダ２０９は、現在デジタル放送標準に採択されたＭＰＥＧ−２圧縮方式によってアナログ（放送）信号をエンコーディング及びデコーディングするための構成要素であって、本発明は、ＭＰＥＧ−２方式に特に限定されるものではない。
【００３５】
また、本実施形態では、デジタル通信部２１３とアナログ通信部２１１とが分離されているが、デジタル通信部２１３とアナログ通信部２１１とは一つのモジュールに統合されてもよい。
【００３６】
以下では、本実施形態によるアナログ／デジタル信号処理装置２０の動作を説明する。
【００３７】
制御部２１５は、放送信号受信部２０１及び外部入力信号受信部２０３を制御して、デジタル放送信号及びデジタル外部入力信号をデジタル通信部２１３及びＭＰＥＧ−２デコーダ２０９に出力する。一方、ユーザの選択によってデジタル信号は、デジタル通信部２１３及びＭＰＥＧ−２デコーダ２０９に同時にまたは選択的に出力されてもよい。
【００３８】
また、アナログ放送信号及びアナログ外部入力信号は、制御部２１５の制御によってスイッチング部２０５に出力され、例えば、ユーザがアナログＴＶのようなアナログ再生機器への視聴を選択したならば、スイッチング部２０５は、アナログ入力信号をアナログ通信部２１１にスイッチングし、ユーザがデジタルＴＶのようなデジタル再生機器への視聴を選択したならば、スイッチング部２０５は、アナログ入力信号をＭＰＥＧ−２エンコーダ２０７に出力する。ＭＰＥＧ−２エンコーダ２０７は、エンコーディングされたＭＰＥＧ−２トランスポートストリームのデジタル信号をデジタル通信部２１３に出力する。したがって、アナログ放送信号またはアナログ外部入力信号はマクロビジョンのようなコピー防止処理されていても、ＭＰＥＧ−２エンコーディング及びデコーディングを経ずに直ちにアナログ通信部２１１に出力されるために、コピー防止処理がき損される恐れがない。
【００３９】
図３には、本発明の他の実施形態による多用途デジタルセットトップボックスが図示されている。一方、本発明のデジタルセットトップボックス３０は、放送信号及び外部アナログ入力信号を受信してデジタル放送方式に適するように放送信号を処理して、デジタルＴＶ及び外部アナログ再生装置に出力する信号受信装置を一般的に称する。
【００４０】
多用途デジタルセットトップボックス３０は、地上波放送、衛星放送及びケーブル放送などの放送信号を受信し、制御部３１４の制御によって該当放送信号をアナログ放送信号またはデジタル放送信号に出力する放送信号受信部３０２と、放送信号受信部３０２から出力されたアナログ放送信号及びＤＶＤプレーヤーのような外部アナログ信号入力装置から受信したアナログ外部入力信号をＭＰＥＧ−２トランスポートストリームのデジタル信号に変換するＭＰＥＧ−２エンコーダ３０４と、放送信号受信部３０２及びＭＰＥＧ−２エンコーダ３０４から出力されるＭＰＥＧ−２トランスポートストリームをデジタルＴＶのような外部ディスプレイ装置に出力するデジタル通信部３０６と、制御部３１４の制御によって放送信号受信部３０２及びＭＰＥＧ−２エンコーダ３０４から出力されるＭＰＥＧ−２トランスポートストリームをアナログ信号に変換して出力するＭＰＥＧ−２デコーダ３０８と、制御部３１４の制御によってＭＰＥＧ−２エンコーダ３０４に入力されるアナログ外部入力信号及びＭＰＥＧ−２デコーダ３０８から出力されるアナログ信号のうち一つを選択して出力するスイッチング部３１０と、前記スイッチング部３１０から出力されるアナログ信号をアナログＴＶまたはＶＣＲのような外部アナログ再生装置に出力するアナログ通信部３１２と、受信する放送の種類によって放送信号処理部３０２の放送信号処理を制御してスイッチング部３１０の出力信号を制御してセットトップボックス３０の他の構成要素の動作を制御する制御部３１４をと、備える。
【００４１】
放送信号受信部３０２は、地上波放送、衛星放送及びケーブル放送などの多様な放送信号を受信し、各放送に適した方式で選局及び復調し、制御部３１４の制御によってアナログ放送信号はＭＰＥＧ−２エンコーダ３０４に出力し、ＭＰＥＧ−２トランスポートストリームのデジタル放送信号はデジタル通信部３０６及びＭＰＥＧ−２デコーダ３０８に出力する。
【００４２】
一方、地上波放送、衛星放送及びケーブル放送は相異なる放送方式を採択しているので、放送信号受信部３０２は、各放送方式に適したチューナ部（図示せず）及び復調部（図示せず）を備えねばならず、例えば、地上波放送、衛星放送及びケーブル放送に対してＱＦＤＭ復調部、ＱＰＳＫ復調部及びＱＡＭ復調部をそれぞれ備えることができる。
【００４３】
また、一般的にデジタル放送では、チャンネルによる放送方式情報及びデジタル放送信号如何についての情報を含むチャンネル情報をセットトップボックス３０またはデジタルＴＶのチャンネルマップメモリに設定できるために、視聴者がリモコンのような入力装置を通じて放送チャンネルを選択すれば、制御部３１４はチャンネルマップメモリの検索結果によって、各放送信号の種類によった選局及び復調動作を行うように放送信号受信部３０２を制御し、選択された放送チャンネルがアナログ放送チャンネルであるかデジタル放送チャンネルであるかによって放送信号受信部３０２から出力される信号の出力方向を決定する。
【００４４】
また、本実施形態では、現在アナログ放送信号には特別なコピー防止処理を行わないために、アナログ放送信号をデジタル放送信号にエンコーディングせずに直ちにアナログ通信部３１２を通じて出力する場合を仮定していないが、放送環境が変化してアナログ放送信号にもコピー防止処理される場合には、放送信号受信部３０２から受信したアナログ放送信号は、制御部３１４の制御によってＭＰＥＧ−２エンコーディング及びデコーディングを経ずにスイッチング部３１０を経由してアナログ通信部３１２から直ちに出力させてもよい。
【００４５】
ＭＰＥＧ−２エンコーダ３０４及びＭＰＥＧ−２デコーダ３０８は、現在デジタル放送標準に採択されたＭＰＥＧ−２圧縮方式によってアナログ（放送）信号をエンコーディングしてデコーディングするための構成要素であって、本発明は、ＭＰＥＧ−２方式に特に限定されるものではない。
【００４６】
また、本実施形態ではデジタル通信部３０６とアナログ通信部３１２とが分離されているが、デジタル通信部３０６とアナログ通信部３１２とは一つのモジュールに統合されてもよい。
【００４７】
以下では、各状況による多用途デジタルセットトップボックス３０の動作を図４ないし図６を参照して説明する。また、図４ないし図６には、説明の便宜のために各動作に必要な構成要素のみを図示した。
【００４８】
Ａ．デジタル放送信号の受信（図４）
視聴者がデジタルＴＶを通じてデジタル放送を視聴しようとする場合に、図４Ａに示すように、放送信号受信部３０２は、制御部３１４の制御によってデジタル放送信号をＭＰＥＧ−２トランスポートストリームそのままデジタル通信部３０６に出力し、デジタル通信部３０６は、ＭＰＥＧ−２トランスポートストリームを有線または無線通信チャンネルを通じてデジタルＴＶに伝送する。
【００４９】
一方、視聴者がデジタル放送チャンネルをアナログＴＶで視聴しようとする場合またはＶＣＲのようなアナログ録画装置でデジタル放送を録画しようとする場合には、図４Ｂに示すように、制御部３１４は、放送信号受信部３０２から出力されるＭＰＥＧ−２トランスポートストリームをアナログ放送信号にデコーディングするようにＭＰＥＧ−２デコーダ３０８を制御し、同時にスイッチング部３１０の入力端をＭＰＥＧ−２デコーダ３０８に接続させる。したがって、デジタル放送信号は、ＭＰＥＧ−２デコーダ３０８、スイッチング部３１０及びアナログ通信部３１２を経てアナログＴＶまたはＶＣＲに出力される。
【００５０】
この時、制御部３１４は、セットトップボックス３０またはデジタルＴＶに内蔵された入力選択部（図示せず）を通じて視聴者が入力した情報に基づいてデジタル放送信号の出力方向がデジタルＴＶであるか、そうでなければアナログＴＶまたはＶＣＲのような外部アナログ再生装置であるかを決定できる。また、コピー防止処理が無意味になる場合は、コピー防止処理されたアナログ信号がＭＰＥＧ−２エンコーダ３０４のようなデジタルエンコーダを経る時であるため、コピー防止処理されたデジタル放送信号は、ＭＰＥＧ−２デコーダ３０８を経てもコピー防止情報が損傷されないために、デジタル放送信号をアナログＴＶで視聴するか、ＶＣＲのようなアナログ録画装置で録画してもコピー防止機能が消えるものではない。
【００５１】
Ｂ．アナログ放送信号の受信（図５）
視聴者がアナログ放送信号を受信してデジタルＴＶを通じて視聴しようとする場合には、図５Ａに示すように、制御部３１４は、アナログ放送信号をＭＰＥＧ−２トランスポートストリームのデジタル放送信号にエンコーディングして出力するように放送信号受信部３０２及びＭＰＥＧ−２エンコーダ３０４を制御する。
【００５２】
また、視聴者がアナログ放送チャンネルをアナログＴＶで視聴しようとする場合またはＶＣＲのようなアナログ録画装置でアナログ放送を録画しようとする場合には、図５Ｂに示すように、制御部３１４の制御によって、アナログ放送信号は、放送信号受信部２０２、ＭＰＥＧ−２エンコーダ３０４、ＭＰＥＧ−２デコーダ３０８、スイッチング部３１０及びアナログ通信部３１２を通じて出力される。
【００５３】
一方、図５Ｂによる動作は、アナログ放送信号にコピー防止処理されていない場合にはなんの問題もないが、コピー防止処理されたアナログ放送信号の場合には、ＭＰＥＧ−２エンコーダ３０４を経つつコピー防止信号が消滅されてしまって著作権保護に問題が発生しうるために、コピー防止処理されたアナログ放送信号に含まれたコピー防止信号を消滅させずに放送信号を再生するか、録画するためには、図５Ｃに示すように、制御部３１４は、アナログ放送信号をスイッチング部３１０に直ちに出力されるように放送信号受信部３０２を制御する必要がある。
【００５４】
したがって、アナログ放送信号を外部アナログ再生装置に出力しようとする場合には、スイッチング部３１０の入力端が放送信号受信部３０２に直接連結されるように制御することが望ましい。
【００５５】
Ｃ．外部アナログ信号の入力（図６）
視聴者がＤＶＤプレーヤーのようなデジタル記録媒体再生装置から入力されるアナログ信号をデジタルＴＶを通じて再生しようとする場合には、図６Ａに示すように、制御部２１４は、外部アナログ信号をＭＰＥＧ−２トランスポートストリームのデジタル信号に変換してデジタル通信部３０６に出力するようにＭＰＥＧ−２エンコーダ３０４を制御する。この時には、外部アナログ信号にマクロビジョンのようなコピー防止処理されているとしても、ＭＰＥＧ−２エンコーダ３０４を経つつコピー防止信号が消滅されてしまうが、ＭＰＥＧ−２トランスポートストリームは、合法的なデジタルＴＶでなければ再生自体が不可能に暗号化処理されるために、コピー防止信号が一時的に消滅されるとしても問題にならない。
【００５６】
一方、外部アナログ信号をアナログＴＶまたはＶＣＲのようなアナログ再生装置に出力しようとする場合には、図６Ｂに示すように、制御部３１４は、外部アナログ信号がＭＰＥＧ−２エンコーダ３０４を経ずに直ちにアナログ通信部３１２を通じて出力されるようにスイッチング部３１０を制御し、または制御部２１４は、スイッチング部３１０の入力端をＭＰＥＧ−２エンコーダ３０４に接続すると同時に、ＭＰＥＧ−２エンコーダ３０４に入力されるアナログ信号をエンコーディングせずにスイッチング部３１０に誘導するようにＭＰＥＧ−２エンコーダ３０４を制御してもよい。したがって、マクロビジョンのようなコピー防止処理された外部アナログ信号は、簡単にスイッチング部３１０を採択することによって、コピー防止処理された外部アナログ信号のコピー防止信号がデジタルエンコーディング過程で消失されることを便利に防止できる。
【００５７】
以上では、放送信号または外部アナログ信号を入力されてデジタルＴＶまたはアナログＴＶで視聴する場合を例として説明したが、場合によっては、放送信号または外部アナログ信号を入力されてデジタルＴＶとアナログＴＶとで同時に視聴するようにセットトップボックス３０を動作させてもよい。
【００５８】
以下では、図７及び図８を参照してセットトップボックス３０により行われる信号処理方法を説明する。
【００５９】
図７は、アナログ放送信号及び外部アナログ信号をエンコーディング及びデコーディングを経ずに、直ちにアナログＴＶやＶＣＲのような外部アナログ再生装置に出力する信号処理方法のフローチャートである。図７によれば、Ｓ７１０でユーザがリモコンなどを利用して選択した信号入力方法を調べてユーザが外部アナログ信号入力を選択したならば、Ｓ７２０でユーザがデジタルＴＶ出力を選択したかを判断してＳ７３０で外部アナログ信号をデジタル放送信号にエンコーディングしてデジタルＴＶに出力するか、そうでなければ、Ｓ７４０で外部アナログ信号を直ちに外部アナログ再生装置に出力してプロセスを終了する。
【００６０】
一方、Ｓ７１０でセットトップボックス２０が放送信号を入力されるようにユーザが選択した場合には、Ｓ７５０でユーザがデジタル放送を入力されるように選択したか、そうでなければ、アナログ放送を入力されるように選択したかを判断して、ユーザがデジタル放送を入力されるように選択したならば、Ｓ７６０でユーザがデジタルＴＶ出力を選択したか、そうでなければ、外部アナログ再生装置出力を選択したかを判断して、デジタル放送信号をデジタルＴＶに直接出力するか（Ｓ７７０）、そうでなければ、デジタル放送信号をデコーディングした後に外部アナログ再生装置に出力する（Ｓ７８０）。そして、Ｓ７５０でユーザがアナログ放送を入力されるように選択したならば、Ｓ７２０に進めてユーザが外部アナログ信号入力を選択する時のようにアナログ放送信号をエンコーディングした後に、デジタルＴＶに出力（Ｓ７３０）するか、外部アナログ再生装置に直接出力する（Ｓ７４０）。
【００６１】
図８は、アナログ放送信号は、エンコーディング及びデコーディングされて外部アナログ再生装置に出力され、外部アナログ信号は、エンコーディング及びデコーディングを経ずに直ちに外部アナログ再生装置に出力する信号処理方法のフローチャートである。図８は、外部アナログ信号のみを直接外部アナログ再生装置に出力するという点で図７と異なる。
【００６２】
図８によれば、Ｓ８０２でユーザがリモコンなどを利用して選択した信号入力方法を調べて、ユーザが外部アナログ信号入力を選択したならば、Ｓ８０６でユーザがデジタルＴＶ出力を選択したかを判断して、Ｓ８２２で外部アナログ信号をデジタル放送信号にエンコーディングしてデジタルＴＶに出力するか、そうでなければ、Ｓ８２０で外部アナログ信号を直ちに外部アナログ再生装置に出力してプロセスを終了する。
【００６３】
一方、Ｓ８０２でセットトップボックス２０が放送信号を入力されるようにユーザが選択した場合には、Ｓ８０４でユーザがデジタル放送を入力されるように選択したか、そうでなければアナログ放送を入力されるように選択したかを判断して、ユーザがデジタル放送を入力されるように選択したならば、Ｓ８０８でユーザがデジタルＴＶ出力を選択したか、そうでなければ、外部アナログ再生装置出力を選択したかを判断して、デジタル放送信号をデジタルＴＶに直接出力するか（Ｓ８１４）、そうでなければ、デジタル放送信号をデコーディングした後に外部アナログ再生装置に出力する（Ｓ８１２）。そして、Ｓ８０４でユーザがアナログ放送を入力されるように選択したならば、Ｓ８１０に進めてユーザがデジタルＴＶ出力を選択したか、そうでなければ、外部アナログ再生装置出力を選択したかを判断して、アナログ放送信号をエンコーディングした後にデジタルＴＶに出力するか（Ｓ８１６）、アナログ放送信号をエンコーディング及びデコーディングした後に外部アナログ再生装置に直接出力する（Ｓ８１８）。
【図面の簡単な説明】
【００６４】
【図１】従来の多用途デジタルセットトップボックスの構成図である。
【図２】本発明の望ましい実施形態によるアナログ／デジタル信号処理装置の構成図である。
【図３】本発明の他の実施形態による多用途デジタルセットトップボックスの構成図である。
【図４Ａ】デジタル放送信号をデジタルＴＶまたはアナログＴＶで視聴する場合の多用途デジタルセットトップボックスの動作を説明するための図面である。
【図４Ｂ】デジタル放送信号をデジタルＴＶまたはアナログＴＶで視聴する場合の多用途デジタルセットトップボックスの動作を説明するための図面である。
【図５Ａ】アナログ放送信号をデジタルＴＶまたはアナログＴＶで視聴する場合の多用途デジタルセットトップボックスの動作を説明するための図面である。
【図５Ｂ】アナログ放送信号をデジタルＴＶまたはアナログＴＶで視聴する場合の多用途デジタルセットトップボックスの動作を説明するための図面である。
【図５Ｃ】アナログ放送信号をデジタルＴＶまたはアナログＴＶで視聴する場合の多用途デジタルセットトップボックスの動作を説明するための図面である。
【図６Ａ】外部入力アナログ信号をデジタルＴＶまたはアナログＴＶで視聴する場合の多用途デジタルセットトップボックスの動作を説明するための図面である。
【図６Ｂ】外部入力アナログ信号をデジタルＴＶまたはアナログＴＶで視聴する場合の多用途デジタルセットトップボックスの動作を説明するための図面である。
【図７】本発明の実施形態による多用途デジタルセットトップボックスでの信号処理方法のフローチャートである。
【図８】本発明の実施形態による多用途デジタルセットトップボックスでの信号処理方法の他のフローチャートである。
【符号の説明】
【００６５】
２０  アナログ／デジタル信号処理装置
２０１  放送信号受信部
２０３  外部入力信号受信部
２０５  スイッチング部
２０７  ＭＰＥＧ−２エンコーダ
２０９  ＭＰＥＧ−２デコーダ
２１１  アナログ通信部
２１３  デジタル通信部
２１５  制御部
【図１】
2007517456.tif 000003
【図２】
2007517456.tif 000004
【図３】
2007517456.tif 000005
【図４Ａ】
2007517456.tif 000006
【図４Ｂ】
2007517456.tif 000007
【図５Ａ】
2007517456.tif 000008
【図５Ｂ】
2007517456.tif 000009
【図５Ｃ】
2007517456.tif 000010
【図６Ａ】
2007517456.tif 000011
【図６Ｂ】
2007517456.tif 000012
【図７】
2007517456.tif 000013
【図８】
2007517456.tif 000014
【国際調査報告】
2007517456.tif 000015
2007517456.tif 000016